(57)【要約】【課題】消弧性能が高められた高圧溶断器用ヒューズを提供する。【解決手段】高圧溶断器用ヒューズ５０は、規定値以上の電流が流れた際に電流を遮断する高圧溶断器に用いられ、ヒューズ筒の上部接触子に通電可能に接続される頭部金具５１と、頭部金具５１と接続される可溶接続線５２と、可溶接続線５２と締付金具５４によって接続され、ヒューズ筒の下部接触子に通電可能に接続されるヒューズリード線４５と、頭部金具５１、可溶接続線５２、締付金具５４、及びヒューズリード線４５を収納する円筒状の消弧チューブ４３とを備え、規定値以上の電流によって可溶接続線５２が溶断する。高圧溶断器用ヒューズ５０は、消弧チューブ４３を密封し、頭部金具５１に設けられる第１支持栓５７と、消弧チューブ４３を密封し、締付金具５４に設けられる第２支持栓５８とを備える。よって、消弧性能を高めることができる。【選択図】図４
2020061334.tif 000002
【特許請求の範囲】
【請求項１】
規定値以上の電流が流れた際に電流を遮断する高圧溶断器に用いられ、ヒューズ筒の上部接触子に通電可能に接続される頭部金具と、前記頭部金具と接続される可溶接続線と、前記可溶接続線と締付金具によって接続され、前記ヒューズ筒の下部接触子に通電可能に接続される下部接続線と、前記頭部金具、前記可溶接続線、前記締付金具、及び前記下部接続線を収納する円筒状の消弧チューブと、を備え、規定値以上の電流によって前記可溶接続線が溶断する高圧溶断器用ヒューズであって、
前記消弧チューブを密封し、前記締付金具に設けられる支持栓を備える
高圧溶断器用ヒューズ。
【請求項２】
前記消弧チューブを密封し、前記頭部金具に設けられる第１支持栓を備え、
前記締付金具に設けられる前記支持栓を第２支持栓とする
請求項１に記載の高圧溶断器用ヒューズ。
【請求項３】
前記第１支持栓は、前記頭部金具の可溶接続線側端部に設けられ、
前記第２支持栓は、前記締付金具の可溶接続線側端部に設けられる
請求項２に記載の高圧溶断器用ヒューズ。
【請求項４】
前記消弧チューブは、前記頭部金具を収容する第１消弧チューブと、前記下部接続線を収容する第２消弧チューブとを備え、
前記消弧チューブの前記可溶接続線の部分は、前記第１消弧チューブと前記第２消弧チューブとの二重構造であり、
前記第２消弧チューブの内径は、前記第１消弧チューブの内径よりも短く、
前記第１支持栓は、前記第１消弧チューブの内壁に当接し、
前記第２支持栓は、前記第２消弧チューブの内壁に当接する
請求項２又は３に記載の高圧溶断器用ヒューズ。
【請求項５】
前記第１支持栓の端部と前記第２消弧チューブの端部とが当接する
請求項４に記載の高圧溶断器用ヒューズ。
【請求項６】
前記第１支持栓及び前記第２支持栓は、円筒形状である
請求項２〜５のいずれか一項に記載の高圧溶断器用ヒューズ。
【請求項７】
前記第１支持栓及び前記第２支持栓の少なくとも一方の外周面には、前記消弧チューブの軸方向に延出する複数の突条が設けられる
請求項６に記載の高圧溶断器用ヒューズ。
【請求項８】
前記第１支持栓及び前記第２支持栓の少なくとも一方の外周面には、前記消弧チューブの周方向に延出する鍔部が設けられる
請求項６に記載の高圧溶断器用ヒューズ。
【発明の詳細な説明】
【技術分野】
【０００１】
本発明は、高圧溶断器用ヒューズに関する。
【背景技術】
【０００２】
高圧溶断器には、規定値以上の電流が流れた際に溶断するヒューズが設置されている（特許文献１，２参照）。このヒューズは、ヒューズ筒の上部接触子に通電可能に接続される頭部金具と、規定値以上の電流によって溶断する可溶接続線と、ヒューズ筒の下部接触子に通電可能に接続される下部接続線とを備えている。可溶接続線の上端部は、頭部金具の下端部に接続されている。可溶接続線の下端部と下部接続線の上端部とは、締付金具によって接続されている。
【先行技術文献】
【特許文献】
【０００３】
【特許文献１】実開昭６０−１６２３５７号公報
【特許文献２】中国実用新案公告第２０７３８１３５８号公報
【発明の概要】
【発明が解決しようとする課題】
【０００４】
ところで、ヒューズが溶断した時、消弧ガスが消弧チューブの内面と締付金具との隙間から下部接続線側に漏れ出して、消弧チューブ内の圧力が上がらないことがある。特に、規定値以上の電流のうち小電流域において、消弧チューブの可溶接続線の部分に消弧ガスが不足して圧力が上がらず消弧不能となるおそれがある。そこで、消弧性能が高められた高圧溶断器用ヒューズが求められている。
【０００５】
本発明は、こうした実情に鑑みてなされたものであり、その目的は、消弧性能が高められた高圧溶断器用ヒューズを提供することにある。
【課題を解決するための手段】
【０００６】
上記課題を解決する高圧溶断器用ヒューズは、規定値以上の電流が流れた際に電流を遮断する高圧溶断器に用いられ、ヒューズ筒の上部接触子に通電可能に接続される頭部金具と、前記頭部金具と接続される可溶接続線と、前記可溶接続線と締付金具によって接続され、前記ヒューズ筒の下部接触子に通電可能に接続される下部接続線と、前記頭部金具、前記可溶接続線、前記締付金具、及び前記下部接続線を収納する円筒状の消弧チューブと、を備え、規定値以上の電流によって前記可溶接続線が溶断する高圧溶断器用ヒューズであって、前記消弧チューブを密封し、前記締付金具に設けられる支持栓を備える。
【０００７】
上記構成によれば、消弧チューブ内の可溶接続線の下部接続線側が支持栓によって隙間なく封鎖されるため、消弧ガスを閉じ込めることができ、可溶接続線の溶断時に消弧チューブ内の可溶接続線の部分の圧力を急激に上昇させることができる。よって、消弧性能を高めることができる。また、小電流域における可溶接続線の溶断時にも有効である。
【０００８】
上記高圧溶断器用ヒューズについて、前記消弧チューブを密封し、前記頭部金具に設けられる第１支持栓を備え、前記締付金具に設けられる前記支持栓を第２支持栓とすることが好ましい。
【０００９】
上記構成によれば、消弧チューブ内の可溶接続線の両端が第１支持栓と第２支持栓とによって隙間なく封鎖されるため、消弧ガスを閉じ込めることができ、可溶接続線の溶断時に消弧チューブ内の可溶接続線の部分の圧力を急激に上昇させることができる。よって、消弧性能を高めることができる。また、小電流域における可溶接続線の溶断時にも有効である。
【００１０】
上記高圧溶断器用ヒューズについて、前記第１支持栓は、前記頭部金具の可溶接続線側端部に設けられ、前記第２支持栓は、前記締付金具の可溶接続線側端部に設けられることが好ましい。
【００１１】
上記構成によれば、消弧チューブ内の第１支持栓と第２支持栓とによる密閉空間が狭くなるため、可溶接続線の溶断時に消弧チューブ内の可溶接続線の部分の圧力を一層急激に上昇させることができる。
【００１２】
上記高圧溶断器用ヒューズについて、前記消弧チューブは、前記頭部金具を収容する第１消弧チューブと、前記下部接続線を収容する第２消弧チューブとを備え、前記消弧チューブの前記可溶接続線の部分は、前記第１消弧チューブと前記第２消弧チューブとの二重構造であり、前記第２消弧チューブの内径は、前記第１消弧チューブの内径よりも短く、前記第１支持栓は、前記第１消弧チューブの内壁に当接し、前記第２支持栓は、前記第２消弧チューブの内壁に当接することが好ましい。
【００１３】
上記構成によれば、消弧チューブの可溶接続線の部分の強度が高くなり、第２消弧チューブの内径を短くすることで、可溶接続線の溶断時に消弧チューブ内の可溶接続線の部分の圧力を一層急激に上昇させることができる。
【００１４】
上記高圧溶断器用ヒューズについて、前記第１支持栓の端部と前記第２消弧チューブの端部とが当接することが好ましい。
上記構成によれば、第１支持栓の端部と第２消弧チューブの端部との隙間がなくなり、消弧チューブ内の第１支持栓と第２支持栓とによる密閉空間が狭くなるため、可溶接続線の溶断時に消弧チューブ内の可溶接続線の部分の圧力を一層急激に上昇させることができる。
【００１５】
上記高圧溶断器用ヒューズについて、前記第１支持栓及び前記第２支持栓は、円筒形状であることが好ましい。
上記構成によれば、第１支持栓及び第２支持栓を容易に形成することができる。
【００１６】
上記高圧溶断器用ヒューズについて、前記第１支持栓及び前記第２支持栓の少なくとも一方の外周面には、前記消弧チューブの軸方向に延出する複数の突条が設けられることが好ましい。
【００１７】
上記構成によれば、支持栓の突条が消弧チューブの内壁に密着することで、消弧チューブ内の第１支持栓と第２支持栓とによる密閉空間の密閉を高めることができる。
上記高圧溶断器用ヒューズについて、前記第１支持栓及び前記第２支持栓の少なくとも一方の外周面には、前記消弧チューブの周方向に延出する鍔部が設けられることが好ましい。
【００１８】
上記構成によれば、支持栓の鍔部が消弧チューブの内壁に密着することで、消弧チューブ内の第１支持栓と第２支持栓とによる密閉空間の密閉を高めることができる。
【発明の効果】
【００１９】
本発明によれば、消弧性能を高めることができる。
【図面の簡単な説明】
【００２０】
【図１】第１の実施形態の高圧溶断器の概略構成を示す断面図。
【図２】同実施形態の高圧溶断器のヒューズ筒の概略構成を示す半断面図。
【図３】同実施形態の高圧溶断器用ヒューズの構成を示す断面図。
【図４】同実施形態の高圧溶断器用ヒューズの構成を示す断面拡大図。
【図５】第２の実施形態の高圧溶断器用ヒューズの構成を示す断面拡大図。
【図６】同実施形態の高圧溶断器用ヒューズの第１支持栓を示す図であって、（ａ）は断面図、（ｂ）は側面図。
【図７】同実施形態の高圧溶断器用ヒューズの第２支持栓を示す図であって、（ａ）は正面図、（ｂ）は側面図。
【図８】第３の実施形態の高圧溶断器用ヒューズの構成を示す断面拡大図。
【図９】第４の実施形態の高圧溶断器用ヒューズの構成を示す断面図。
【図１０】同実施形態の高圧溶断器用ヒューズの構成を示す断面拡大図。
【図１１】変形例の高圧溶断器用ヒューズの構成を示す断面図。
【図１２】同変形例の高圧溶断器用ヒューズの構成を示す断面拡大図。
【発明を実施するための形態】
【００２１】
（第１の実施形態）
以下、図１〜図４を参照して、高圧溶断器用ヒューズの第１の実施形態について説明する。
【００２２】
図１に示すように、高圧溶断器１の磁器製の本体碍子１０は円筒状に形成されている。本体碍子１０の外周面には複数個の絶縁襞１８が形成されている。本体碍子１０の下端は開口され、下端開口部１４を形成している。本体碍子１０の内部には、円柱状の上部室１１と、上部室１１の下部に連通するとともに上部室１１の内径よりも拡径された円柱状の下部室１２とが形成されている。
【００２３】
高圧溶断器１は、取付金具１１０によって電柱の腕金に取り付けられる。取付金具１１０のバンド部１１４は、本体碍子１０の上下方向中央の外周に固定されている。
高圧溶断器１は、本体碍子１０内の上部室１１と下部室１２とにヒュ−ズ筒４０が収納されている。高圧溶断器１には、上部電極２３と下部電極３４とが設けられている。本体碍子１０の上端部１３には、円錐状の上部モールドコーン２１が接着剤によって接着されている。上部モールドコーン２１は、上部電極２３のネジ部に接続固定されている。上部モールドコーン２１の引出線２１ａには、配電線路の外部電線が接続される。
【００２４】
また、本体碍子１０の下部側壁１５には、円錐状の下部モールドコーン３１が接着剤によって接着されている。下部モールドコーン３１の引出線３１ａの基端には、接続線３２が接続されている。下部モールドコーン３１の接続線３２は、下部電極３４に螺子止めされている。接続線３２は、固定部材である四角ナット３３によって接続線３２を本体碍子１０内に固定されている。下部モールドコーン３１は、四角ナット３３によって本体碍子１０に固定されている。下部モールドコーン３１の引出線３１ａには、配電線路に設けられた変圧器等の機器が外部電線を介して接続される。下部電極３４は、本体碍子１０内の下部室１２に嵌合係止されている。下部電極３４の上部には、樹脂製の緩衝部材３６が配置されている。緩衝部材３６は、緩衝板３７を介して下部室１２の上部に当接されている。ヒューズ筒４０には、円筒状の消弧筒３５が環装されている。消弧筒３５の下端は、緩衝板３７の上面に当接している。
【００２５】
本体碍子１０の下部室１２の内壁１２ａには、本体碍子１０の下端開口部１４を閉蓋する閉蓋部材１９が接着剤１７によって固着されている。閉蓋部材１９は、耐トラッキング性のゴム材や軟質合成樹脂等の弾性部材によって有底円筒状に形成されている。
【００２６】
ヒューズ筒４０は、上部電極２３と下部電極３４とを接続する。図２に示すように、ヒューズ筒４０の上端には、管状の上部接触子４１を固定した絶縁筒４２が設けられている。絶縁筒４２には、環状の接触部４７ａを有する下部接触子４７が貫装される。絶縁筒４２の下端には、表示筒４８が固着される。下部接触子４７と表示筒４８との間にはばね４９が介在される。絶縁筒４２内には、ヒューズ５０が上部接触子４１と下部接触子４７との間にばね４９によって張設される。
【００２７】
上部接触子４１の下端部外周には、ローレット加工等の凹凸面４１ａが形成されている。よって、ヒューズ５０の挿入後にヒューズ筒４０の上部金具４２ｂに対し上部接触子４１を螺着する場合に凹凸面４１ａにより滑り難いので締付けを確実に行うことができる。頭部金具５１の接点部５１ａの上面には、ヒューズ５０の定格が刻印されている。また、消弧チューブ４３の外周面には、ヒューズ５０の定格を示すラベルが貼り付けられている。
【００２８】
図２及び図３に示すように、ヒューズ５０は、頭部金具５１と、抗張線５３と、可溶接続線５２と、ヒューズリード線４５とを備えている。ヒューズリード線４５が下部接続線に相当する。ヒューズリード線４５の先端には、接続端子４５ａが設けられている。下部接触子４７に設けられる固定部４７ｂには、接続端子４５ａが締付螺子４６によって締付固定される。ヒューズ筒４０の上部接触子４１と下部接触子４７とは、ヒューズ５０を介して電気的に接続されている。ヒューズ５０の可溶接続線５２は、規定値を越える電流が流れると溶断する。
【００２９】
可溶接続線５２は、低融点金属であって、可溶体に相当する。低融点金属は、錫単体や、錫を主体とする合金（錫・ニッケル合金、錫・銀合金、錫・銅合金、錫・銀・銅合金等）を採用する。なお、低融点金属は、鉛を含まないものが望ましい。抗張線５３は、抵抗体として機能するステンレス、銅、銀を主体とした単体もしくは銅・ニッケル合金、銅・ニッケル・クロム合金などの合金線を採用する。
【００３０】
図３に示すように、頭部金具５１と、可溶接続線５２と、抗張線５３と、ヒューズリード線４５とは、円筒状の消弧チューブ４３内に貫装されている。消弧チューブ４３は、クラフト紙等を巻回して形成されている。
【００３１】
頭部金具５１は、円板状の接点部５１ａと、円柱状の接続部５１ｂとを備えている。頭部金具５１の接点部５１ａは、消弧チューブ４３の外径よりも大きく形成されている。頭部金具５１の接点部５１ａは、消弧チューブ４３の上端から突出している。頭部金具５１の接続部５１ｂには、円筒状の支持栓５５が被嵌接着されている。支持栓５５には、消弧チューブ４３が被嵌接着されている。頭部金具５１は、支持栓５５によって支持されている。消弧チューブ４３の上端部には、クラフト紙を数巻き分巻かず縮径された段部４３ａが形成されている。消弧チューブ４３の上端の段部４３ａには、ばね座金４４が嵌装されている。よって、ばね座金４４は、頭部金具５１と消弧チューブ４３の段部４３ａとにより抜けることはない。ヒューズ５０をばね座金４４によりヒューズ筒４０に装着した場合、上部接触子４１を絶縁筒４２に確実に固定することができ、また確実に通電させることができる。
【００３２】
頭部金具５１とヒューズリード線４５とは、可溶接続線５２と抗張線５３とによって接続されている。可溶接続線５２及び抗張線５３の上端部は、頭部金具５１の下端部にある接続部５１ｂの円柱孔に挿入されている。頭部金具５１の下端部の接続部５１ｂは、可溶接続線５２及び抗張線５３の上端部が挿入された状態でかしめにより圧着固定されている。よって、頭部金具５１の下端部と可溶接続線５２及び抗張線５３の上端部とは圧着接続されている。
【００３３】
可溶接続線５２及び抗張線５３とヒューズリード線４５とは、円筒状の締付金具５４によって接続固定されている。可溶接続線５２及び抗張線５３の下端部は、締付金具５４の上端部に挿入されている。締付金具５４の上端部は、可溶接続線５２及び抗張線５３の下端部が挿入された状態でかしめにより圧着固定されている。よって、締付金具５４の上端部と可溶接続線５２及び抗張線５３の下端部とは圧着接続されている。
【００３４】
ヒューズリード線４５の上端部は、締付金具５４の下端部に挿入されている。締付金具５４の下端部は、ヒューズリード線４５の上端部が挿入された状態でかしめにより圧着固定されている。よって、締付金具５４の下端部とヒューズリード線４５の上端部とは圧着接続されている。ヒューズリード線４５の下端部は、接続端子４５ａの円筒部に挿入された状態でかしめにより圧着固定されている。
【００３５】
ヒューズ５０は、消弧チューブ４３を密封し、頭部金具５１に設けられる第１支持栓５７を備えている。第１支持栓５７は、頭部金具５１の可溶接続線５２側に設けられている。ヒューズ５０は、消弧チューブ４３を密封し、締付金具５４に設けられる第２支持栓５８を備えている。第２支持栓５８は、締付金具５４の可溶接続線５２側に設けられている。
【００３６】
次に、図４を参照して、頭部金具５１、第１支持栓５７、可溶接続線５２、第２支持栓５８、ヒューズリード線４５の接続構造について説明する。
図４に示すように、第１支持栓５７は、可溶接続線５２及び抗張線５３が貫通する貫通孔５７ａを有する円筒形状である。第１支持栓５７の上面５７ｂは、頭部金具５１の下端５１ｃに接触している。第１支持栓５７の外径と消弧チューブ４３の内径とは、ほぼ同一である。第１支持栓５７の外周面は、消弧チューブ４３の内壁に当接する。
【００３７】
第２支持栓５８は、可溶接続線５２及び抗張線５３が貫通する貫通孔５８ａを有する円筒形状である。第２支持栓５８の下面５８ｂは、締付金具５４の上端５４ａに接触している。第２支持栓５８の外径と消弧チューブ４３の内径とは、ほぼ同一である。第２支持栓５８の外周面は、消弧チューブ４３の内壁に当接する。
【００３８】
消弧チューブ４３の可溶接続線５２の部分は、消弧チューブ４３の内壁と第１支持栓５７と第２支持栓５８とによって密閉空間５９が形成されている。このため、可溶接続線５２が溶断して、その熱で消弧チューブ４３の内面から発生した消弧ガスが密閉空間５９に充満することになり、密閉空間５９の圧力を一層急激に上昇させて、溶断部に発生したアークを消弧ガスによって消弧することができる。よって、消弧性能を高めることができる。
【００３９】
次に、上記のように構成された高圧溶断器１の作用について説明する。
高圧溶断器１に規定値以上の電流が流れると、可溶接続線５２が溶断するとともに、抗張線５３が切断する。そして、ヒューズ筒４０の絶縁筒４２がばね４９により本体碍子１０の下端開口部１４側へ移動して、表示筒４８が本体碍子１０から突出する。これにより、ヒューズ筒４０の上部接触子４１が上部電極２３から離脱して、通電が遮断される。この時、絶縁筒４２の段部４２ａは、下部接触子４７の接触部４７ａ内のばね４７ｃに当接する。これにより、絶縁筒４２の下方への移動は緩衝されるため、絶縁筒４２の衝撃によるヒューズ筒４０の脱落は防止される。
【００４０】
次に、本実施形態の効果について説明する。
（１）消弧チューブ４３内の可溶接続線５２の前後が第１支持栓５７と第２支持栓５８とによって隙間なく封鎖されるため、消弧ガスを密閉空間５９に閉じ込めることができ、可溶接続線５２の溶断時に消弧チューブ４３内の可溶接続線５２の部分の圧力を急激に上昇させることができる。よって、消弧性能を高めることができる。また、小電流域における可溶接続線５２の溶断時にも有効である。
【００４１】
（２）第１支持栓５７が頭部金具５１の可溶接続線５２側端部に設けられ、第２支持栓５８が締付金具５４の可溶接続線５２側端部に設けられる。よって、消弧チューブ４３内の第１支持栓５７と第２支持栓５８とによる密閉空間５９が狭くなるため、可溶接続線５２の溶断時に消弧チューブ４３内の可溶接続線５２の部分の圧力を一層急激に上昇させることができる。
【００４２】
（３）第１支持栓５７及び第２支持栓５８が円筒形状であるため、第１支持栓５７及び第２支持栓５８を容易に形成することができる。
【００４３】
（第２の実施形態）
以下、図５〜図７を参照して、高圧溶断器用ヒューズの第２の実施形態について説明する。この実施形態の高圧溶断器用ヒューズは、第１支持栓５７及び第２支持栓５８の形状が上記第１の実施形態と異なっている。以下、第１の実施形態との相違点を中心に説明する。
【００４４】
図５に示すように、ヒューズ６０は、消弧チューブ４３を密封し、頭部金具５１に設けられる第１支持栓６７を備えている。第１支持栓６７は、頭部金具５１の可溶接続線５２側に設けられている。ヒューズ６０は、消弧チューブ４３を密封し、締付金具５４に設けられる第２支持栓６８を備えている。第２支持栓６８は、締付金具５４の可溶接続線５２側に設けられている。
【００４５】
図５及び図６（ａ）に示すように、第１支持栓６７は、頭部金具５１が貫装される貫通孔６７ａを有する円筒形状である。第１支持栓６７は、頭部金具５１の下端部の外周に装着されている。図６（ｂ）に示すように、第１支持栓６７の外周面には、消弧チューブ４３の軸方向に延出する突条６７ｂが周方向に等間隔で複数設けられている。突条６７ｂは、消弧チューブ４３の内径よりも突出する。このため、第１支持栓６７を消弧チューブ４３に挿入すると、突条６７ｂが変形した状態で取り付けられ、第１支持栓６７の外周面が消弧チューブ４３の内壁に密着する。
【００４６】
図５及び図７（ａ）に示すように、第２支持栓６８は、可溶接続線５２及び抗張線５３が貫通する貫通孔６８ａを有する円筒形状である。第２支持栓６８の下面６８ｂは、締付金具５４の上端５４ａに接触している。図７（ｂ）に示すように、第２支持栓６８の上面側には、拡径した鍔部６８ｃが設けられている。鍔部６８ｃの外径は、消弧チューブ４３の内径よりも若干大きく形成されている。第２支持栓６８の鍔部６８ｃでない部分の外径は、消弧チューブ４３の内径よりも若干小さく形成されている。このため、第２支持栓６８を消弧チューブ４３に挿入すると、鍔部６８ｃが撓んだ状態で取り付けられ、第２支持栓６８の外周面が消弧チューブ４３の内壁に密着する。
【００４７】
消弧チューブ４３の可溶接続線５２の部分は、消弧チューブ４３の内壁と第１支持栓６７と第２支持栓６８とによって密閉空間６９が形成されている。このため、可溶接続線５２が溶断して、その熱で消弧チューブ４３の内面から発生した消弧ガスが密閉空間６９に充満することになり、密閉空間６９の圧力を一層急激に上昇させて、溶断部に発生したアークを消弧ガスによって消弧することができる。よって、消弧性能を高めることができる。
【００４８】
次に、本実施形態の効果について説明する。なお、第１の実施形態の（１）及び（２）の効果に加え、以下の効果を奏する。
（４）第１支持栓６７の突条６７ｂが消弧チューブ４３の内壁に密着することで、消弧チューブ４３内の第１支持栓６７と第２支持栓６８とによる密閉空間６９の密閉を高めることができる。
【００４９】
（５）第２支持栓６８の鍔部６８ｃが消弧チューブ４３の内壁に密着することで、消弧チューブ４３内の第１支持栓６７と第２支持栓６８とによる密閉空間６９の密閉を高めることができる。
【００５０】
（第３の実施形態）
以下、図８を参照して、高圧溶断器用ヒューズの第３の実施形態について説明する。この実施形態の高圧溶断器用ヒューズは、第１支持栓の形状が上記第２の実施形態と異なっている。以下、第２の実施形態との相違点を中心に説明する。
【００５１】
図８に示すように、ヒューズ７０は、消弧チューブ４３を密封し、頭部金具５１の接続部５１ｂに設けられる第１支持栓７７を備えている。第１支持栓７７は、頭部金具５１の可溶接続線５２側に設けられている。第１支持栓７７は、頭部金具５１の接続部５１ｂが貫装される貫通孔７７ａを有する円筒形状である。第１支持栓７７は、頭部金具５１の下端部の外周に装着されている。第１支持栓７７の外周面には、消弧チューブ４３の周方向に延出する鍔部７７ｂが複数設けられている。鍔部７７ｂは、第１支持栓７７の上端部、中央部、下端部に設けられている。鍔部７７ｂの外径は、消弧チューブ４３の内径よりも若干大きく形成されている。第１支持栓７７の鍔部７７ｂでない部分の外径は、消弧チューブ４３の内径よりも若干小さく形成されている。このため、第１支持栓７７を消弧チューブ４３に挿入すると、鍔部７７ｂが撓んだ状態で取り付けられ、第１支持栓７７の外周面が消弧チューブ４３の内壁に密着する。
【００５２】
消弧チューブ４３の可溶接続線５２の部分は、消弧チューブ４３の内壁と第１支持栓７７と第２支持栓６８とによって密閉空間７９が形成されている。このため、可溶接続線５２が溶断して、その熱で消弧チューブ４３の内面から発生した消弧ガスが密閉空間７９に充満することになり、密閉空間７９の圧力を一層急激に上昇させて、溶断部に発生したアークを消弧ガスによって消弧することができる。よって、消弧性能を高めることができる。
【００５３】
次に、本実施形態の効果について説明する。なお、第１の実施形態の（１）、（２）、及び第２の実施形態の（５）の効果に加え、以下の効果を奏する。
（６）第１支持栓７７の鍔部７７ｂが消弧チューブ４３の内壁に密着することで、消弧チューブ４３内の第１支持栓７７と第２支持栓６８とによる密閉空間７９の密閉を高めることができる。
【００５４】
（第４の実施形態）
以下、図９及び図１０を参照して、高圧溶断器用ヒューズの第４の実施形態について説明する。この実施形態の高圧溶断器用ヒューズは、消弧チューブの形状が上記第２の実施形態と異なっている。以下、第２の実施形態との相違点を中心に説明する。
【００５５】
図９に示すように、ヒューズ８０は、第１消弧チューブ８３と、第２消弧チューブ８４とを備えている。頭部金具５１と、可溶接続線５２と、抗張線５３とは、円筒状の第１消弧チューブ８３内に貫装されている。また、可溶接続線５２と、抗張線５３と、締付金具５４と、ヒューズリード線４５とは、円筒状の第２消弧チューブ８４内に貫装されている。第１消弧チューブ８３及び第２消弧チューブ８４は、クラフト紙等を巻回して形成されている。第１消弧チューブ８３の内側に第２消弧チューブ８４が挿入されて接着固定されている。
【００５６】
図１０に示すように、第２消弧チューブ８４の外径は、第１消弧チューブ８３の内径とほぼ同一である。第２消弧チューブ８４の上端８４ａは、第１支持栓６７の下端６７ｃに当接している。よって、可溶接続線５２の部分は、第１消弧チューブ８３と第２消弧チューブ８４との二重構造となっている。また、第２消弧チューブ８４は、第１消弧チューブ８３よりも細くなっている。すなわち、第２消弧チューブ８４の内径は、第１消弧チューブ８３の内径よりも短くなっている。
【００５７】
第１支持栓６７の外径と第１消弧チューブ８３の内径とは、ほぼ同一である。第１支持栓６７を第１消弧チューブ８３に挿入すると、突条６７ｂが変形した状態で取り付けられ、第１支持栓６７の外周面が第１消弧チューブ８３の内壁に密着する。
【００５８】
第２支持栓６８の鍔部６８ｃでない部分の外径は、第２消弧チューブ８４の内径よりも若干短く形成されている。第２支持栓６８を第２消弧チューブ８４に挿入すると、鍔部６８ｃが撓んだ状態で取り付けられ、第２支持栓６８の外周面が第２消弧チューブ８４の内壁に密着する。
【００５９】
第２消弧チューブ８４の可溶接続線５２の部分は、第２消弧チューブ８４の内壁と第１支持栓６７と第２支持栓６８とによって密閉空間８９が形成されている。この密閉空間８９は、第２消弧チューブ８４が第１消弧チューブ８３よりも細いため、更に狭い空間となっている。このため、可溶接続線５２が溶断して、その熱で第２消弧チューブ８４の内面から発生した消弧ガスが密閉空間８９に充満することになり、密閉空間８９の圧力を一層急激に上昇させて、溶断部に発生したアークを消弧ガスによって消弧することができる。よって、消弧性能を高めることができる。
【００６０】
次に、本実施形態の効果について説明する。なお、第１の実施形態の（１）、（２）、及び第２の実施形態の（４）、（５）の効果に加え、以下の効果を奏する。
（７）第２消弧チューブ８４の内径が第１消弧チューブ８３の内径より短いため、更に狭い密閉空間８９を形成することができる。
【００６１】
（他の実施形態）
上記各実施形態は、以下のように変更して実施することができる。上記各実施形態及び以下の変更例は、技術的に矛盾しない範囲で互いに組み合わせて実施することができる。
【００６２】
・上記第２の実施形態では、第２支持栓６８の鍔部６８ｃを可溶接続線５２側、上端側に設けたが、締付金具５４側、下端側に設けてもよい。また、鍔部６８ｃを複数設けてもよい。
【００６３】
・上記第２の実施形態では、第１支持栓６７を頭部金具５１の下端部の外周に装着したが、第１支持栓を頭部金具５１の中央部や上端部に装着してもよい。
・上記第２の実施形態では、第２支持栓６８を締付金具５４の上端に設けたが、第１支持栓６７を頭部金具５１に装着したように、第２支持栓を締付金具５４に装着してもよい。この場合、第２支持栓を締付金具５４の中央部や下端部に装着してもよい。なお、可溶接続線５２側に装着するのが好ましい。
【００６４】
・上記第３の実施形態では、第１支持栓７７に鍔部７７ｂを３個設けたが、４個以上設けてもよく、１個，２個でもよい。なお、可溶接続線５２側に設けるのが好ましい。
・上記第２の実施形態では、第２支持栓６８に鍔部６８ｃを設けたが、鍔部６８ｃに代えて第２支持栓６８に軸方向に延出する突条を設けてもよい。
【００６５】
・上記第４の実施形態では、第２消弧チューブ８４の上端８４ａが第１支持栓６７の下端６７ｃに当接するようにしたが、第２消弧チューブ８４の上端８４ａが第１支持栓６７の下端６７ｃに当接しないようにしてもよい。
【００６６】
・上記第４の実施形態では、第２消弧チューブ８４を第１消弧チューブ８３の内側に挿入するようにした。しかし、第１消弧チューブ８３の外径を第２消弧チューブ８４の内径とほぼ同一として、第１消弧チューブ８３を第２消弧チューブ８４の内側に挿入するようにしてもよい。
【００６７】
・上記各実施形態の構成において、抗張線５３を省略してもよい。
・上記各実施形態の構成において、消弧チューブ４３（第２消弧チューブ８４）の内面に、ホウ酸、水酸化アルミニウム等の粉末消弧剤と粘結剤とを混練したものを塗布することで消弧層を形成してもよい。
【００６８】
・上記各実施形態では、第１支持栓５７（６７，７７）と第２支持栓５８（６８）との２つを設けたが、第１支持栓５７（６７，７７）を省略して、第２支持栓５８（６８）のみにしてもよい。このような構成によれば、消弧チューブ４３内の可溶接続線５２の部分は、消弧チューブ４３の内壁と頭部金具５１の支持栓５５と第２支持栓５８（６８）とによって密閉空間が形成される。このため、可溶接続線５２の溶断時に消弧ガスを密閉空間に閉じ込めることができ、密閉空間の圧力を急激に上昇させて、溶断部に発生したアークを消弧ガスによって消弧することができる。よって、消弧性能を高めることができる。また、小電流域における可溶接続線５２の溶断時にも有効である。
【００６９】
・また、頭部金具５１の支持栓５５及び第１支持栓５７（６７，７７）を省略して、第２支持栓５８（６８）のみにして、頭部金具５１に消弧チューブ４３を直接取り付けてもよい。図１１及び図１２に示すように、ヒューズ９０は、頭部金具５１の接続部５１ｂに縮径させた小径部５１ｄを設けて、小径部５１ｄが消弧チューブ４３の内に挿入されている。このような構成によれば、消弧チューブ４３内の可溶接続線５２の部分は、消弧チューブ４３の内壁と頭部金具５１と第２支持栓６８とによって密閉空間が形成される。このため、可溶接続線５２の溶断時に消弧ガスを密閉空間に閉じ込めることができ、密閉空間の圧力を急激に上昇させて、溶断部に発生したアークを消弧ガスによって消弧することができる。よって、消弧性能を高めることができる。また、小電流域における可溶接続線５２の溶断時にも有効である。なお、頭部金具５１の接続部５１ｂに段付きの構成を備えず、接続部５１ｂ全体の外径と消弧チューブ４３の内径とを同一としてもよい。
【符号の説明】
【００７０】
１…高圧溶断器、１０…本体碍子、１１…上部室、１２…下部室、１２ａ…内壁、１３…上端部、１４…下端開口部、１５…下部側壁、１７…接着剤、１８…絶縁襞、２０…上部モールドコーン、２１…下部側壁、２１ａ…引出線、２３…上部電極、３１…下部モールドコーン、３１ａ…引出線、３２…接続線、３３…四角ナット、３４…下部電極、３５…消弧筒、３６…緩衝部材、３７…緩衝板、４０…ヒューズ筒、４１…上部接触子、４１ａ…凹凸面、４２…絶縁筒、４３…消弧チューブ、４３ａ…段部、４４…ばね座金、４５…ヒューズリード線、４５ａ…接続端子、４６…締付螺子、４７…下部接触子、４７ａ…接触部、４７ｂ…固定部、４７ｃ…ばね、４８…表示筒、４９…ばね、５０…ヒューズ、５１…頭部金具、５１ａ…接点部、５１ｂ…接続部、５１ｃ…下端、５１ｄ…小径部、５２…可溶接続線、５３…抗張線、５４…締付金具、５４ａ…上端、５５…支持栓、５７…第１支持栓、５７ａ…貫通孔、５７ｂ…上面、５８…第２支持栓、５８ａ…貫通孔、５８ｂ…下面、５９…密閉空間、６０…ヒューズ、６７…第１支持栓、６７ａ…貫通孔、６７ｂ…突条、６７ｃ…下端、６８…第２支持栓、６８ａ…貫通孔、６８ｂ…下面、６８ｃ…鍔部、６９…密閉空間、７０…ヒューズ、７７…第１支持栓、７７ａ…貫通孔、７７ｂ…鍔部、７９…密閉空間、８０…ヒューズ、８３…第１消弧チューブ、８４…第２消弧チューブ、８４ａ…上端、８９…密閉空間、９０…ヒューズ。
【図１】
2020061334.tif 000003
【図２】
2020061334.tif 000004
【図３】
2020061334.tif 000005
【図４】
2020061334.tif 000006
【図５】
2020061334.tif 000007
【図６】
2020061334.tif 000008
【図７】
2020061334.tif 000009
【図８】
2020061334.tif 000010
【図９】
2020061334.tif 000011
【図１０】
2020061334.tif 000012
【図１１】
2020061334.tif 000013
【図１２】
2020061334.tif 000014